(57)【要約】  照明システム（１）は、赤外線通信による遠隔操作が可能な照明装置（２）と、近距離無線通信による遠隔操作が可能な音響装置（３）と、照明装置（２）に加え、音響装置（３）を遠隔操作する赤外線リモートコントローラ（４）とを備える。赤外線リモートコントローラ（４）は、音響装置（３）の遠隔操作にあたって、ＩＲコードＢを照明装置（２）に送信する。照明装置（２）は、ＩＲコードＢを受信し、これを音響装置（３）に送信する。音響装置（３）は、ＩＲコードＢに基づいて制御される。
2013129575.tif 000002
【特許請求の範囲】
【請求項１】
照明装置と、電子機器と、を有する照明ユニットと、
前記照明ユニットを赤外線によって遠隔操作する赤外線リモートコントローラと
を備え、
前記赤外線リモートコントローラは、前記電子機器の制御内容を指定する電子機器用コードを赤外線によって送信し、
前記照明装置は、前記赤外線リモートコントローラから送信された前記電子機器用コードを受信し、受信した前記電子機器用コードを前記電子機器に送信し、
前記電子機器は、前記照明装置から受信した前記電子機器用コードに基づいて制御をする、
ことを特徴とする照明システム。
【請求項２】
前記照明装置と前記電子機器とは、電気配線により電気的に接続され、
前記照明装置は、前記赤外線リモートコントローラから赤外線で送信された前記電子機器用コードを受信して、電気信号に変換する赤外線受信部を備え、電気信号に変換した電子機器用コードを、前記電気配線を介して前記電子機器に送信し、
前記電子機器は、前記照明装置から、電気信号に変換された電子機器用コードを、前記電気配線を介して受信して、該電子機器用コードに基づいて制御をする、
ことを特徴とする請求項１に記載の照明システム。
【請求項３】
前記電子機器は、前記照明装置の制御内容を指定する第１の照明装置用コードを生成して前記照明装置に送信し、
前記照明装置は、前記電子機器から受信した前記第１の照明装置用コードに基づいて制御を実行し、
前記第１の照明装置用コードが示す情報は、前記照明装置を遠隔操作するために前記赤外線リモートコントローラから赤外線によって前記照明装置に送信される第２の照明装置用コードが示す情報と同じ種類の制御情報である、
ことを特徴とする請求項１又は２に記載の照明システム。
【請求項４】
前記電子機器は、前記照明装置の制御内容を指定する第１の照明装置用コードを生成して前記電気配線を介して前記照明装置に送信し、
前記照明装置は、前記赤外線受信部が電気信号に変換した電子機器用コードが入力される入力ノードと、入力ポートから入力される前記第１の照明装置用コードに応じて前記照明装置の制御を行う制御部と、を備え、
前記電子機器は、前記電子機器用コードの入力端子と、前記第１の照明装置用コードの出力端子と、を備え、
前記入力ノードは、前記電子機器の前記入力端子に接続され、
前記電子機器の前記出力端子は、前記制御部の前記入力ポートに接続されている、
ことを特徴とする請求項２に記載の照明システム。
【請求項５】
前記赤外線リモートコントローラは、前記照明装置の遠隔操作にあたって、前記照明装置の制御内容を指定する第２の照明装置用コードを赤外線によって前記照明装置に送信し、
前記赤外線受信部は、前記第２の照明装置用コードを受信して電気信号に変換し、
前記赤外線受信部が電気信号に変換した第２の照明装置用コードは、前記入力ノードに入力され、
前記入力ノードは、前記制御部の前記入力ポートに接続されており、前記入力ノードに入力された前記第２の照明装置用コードは、前記入力ポートに入力され、
前記制御部は、前記入力ポートから入力される前記第２の照明装置用コードに応じて前記照明装置の制御を行う、
ことを特徴とする請求項４に記載の照明システム。
【請求項６】
前記電子機器は、スピーカを備え、
前記電子機器用コードは、前記スピーカの音量を制御するためのコードであり、
前記電子機器は、前記電子機器用コードに基づいて、前記スピーカの音量を制御する、
ことを特徴とする請求項１乃至５のいずれか一項に記載の照明システム。
【請求項７】
前記照明装置は、複数段階の明るさレベルのうちのいずれかで照明可能であり、
前記電子機器は、スピーカを備え、前記スピーカの音量を複数段階の音量レベルのうちのいずれかに調整可能であり、前記複数段階の音量レベルと前記複数段階の明るさレベルとを対応付けた制御テーブルを格納したメモリを備え、前記メモリの前記制御テーブルに従って、前記スピーカの音量レベルに対応した明るさレベルを指定する第１の照明装置用コードを生成して前記照明装置に送信し、
前記照明装置は、前記電子機器から受信した前記第１の照明装置用コードに基づいて、前記照明装置の明るさを制御する、
ことを特徴とする請求項１乃至６のいずれか一項に記載の照明システム。
【請求項８】
請求項１乃至７のいずれか一項に記載の照明システムで用いられる、赤外線リモートコントローラ。
【請求項９】
照明装置と、電子機器と、を有する照明ユニットと、前記照明ユニットを赤外線によって遠隔操作する赤外線リモートコントローラとを備える照明システムの動作方法であって、
前記赤外線リモートコントローラが、前記電子機器の制御内容を指定する電子機器用コードを赤外線によって送信するステップと、
前記照明装置が、前記赤外線リモートコントローラから送信された前記電子機器用コードを受信し、受信した前記電子機器用コードを前記電子機器に送信するステップと、
前記電子機器が、前記照明装置から受信した前記電子機器用コードに基づいて制御をするステップと、
を含むことを特徴とする照明システムの動作方法。
【請求項１０】
電子機器のマイクロコンピュータに実行させるプログラムを記録した記録媒体であって、
前記電子機器は、照明装置と共に照明ユニットを構成し、
前記照明装置は、複数段階の明るさレベルのうちのいずれかで照明可能であり、
前記電子機器は、複数段階の音量レベルのうちのいずれかに調整可能なスピーカと、メモリを備え、
前記メモリには、前記複数段階の音量レベルと前記複数段階の明るさレベルとを対応付けた制御テーブルが格納され、
前記メモリの前記制御テーブルに従って、前記スピーカの音量レベルに対応した明るさレベルを指定する照明装置用コードを生成して前記照明装置に送信する処理を前記マイクロコンピュータに実行させるプログラムを記録した記録媒体。
【発明の詳細な説明】
【技術分野】
【０００１】
本発明は、照明システム、赤外線リモートコントローラ、照明システムの動作方法、及び、電子機器のマイクロコンピュータに実行させるプログラムを記録した記録媒体に関する。
【背景技術】
【０００２】
室内で臨場感あふれる音をマルチチャネル方式で再生する音響装置が知られている。例えば、５．１チャネル方式の音響装置は、５個のスピーカを備える。【０００３】
従来より、再生音の空間的な広がりを実現するため、これらスピーカの最適な配置の仕方が検討されてきた。特許文献１は、天井に設置された照明装置にこれらのスピーカを設けるという一例を開示している。このことにより、再生音の空間的な広がりが実現される。その上、これらスピーカを天井に直接設置するよりも、スピーカの存在を目立ちにくくすることができるという利点がある。
【先行技術文献】
【特許文献】
【０００４】
【特許文献１】特開２０１１−５５３３１号公報
【発明の概要】
【発明が解決しようとする課題】
【０００５】
近年、ブルートゥース（Bluetooth：登録商標）機器が知られている。ブルートゥースは、近距離無線通信規格の一つである。【０００６】
本願発明者は、照明装置と電子機器とを含む照明ユニットを天井に設置した照明システムを提案している。ここでは、ブルートゥースに対応した音響装置を電子機器の一例に挙げる。この照明システムでは、照明装置を赤外線リモートコントローラで遠隔操作することができる。その上、音響装置を、ブルートゥースによる通信が可能な携帯端末などの照明ユニット外部の外部機器で遠隔操作することができる。【０００７】
しかしながら、照明装置に使用される通信規格は、一般に、音響装置のものと異なる。従って、使用者は、照明装置を遠隔操作する赤外線リモートコントローラと、音響装置を遠隔操作する外部機器とを使い分けなければならない。このことは、使用者にとって不便である。さらに、赤外線による遠隔操作は安価に達成できるために、赤外線を用いて電子機器の遠隔操作を実現したいという事情もある。【０００８】
本発明は上記点に鑑みてなされたものであり、その目的とするところは、照明装置を遠隔操作する赤外線リモートコントローラによって、照明装置とともに照明ユニットに含まれる電子機器も制御可能とすることにある。
【課題を解決するための手段】
【０００９】
上記目的を達成するため、本発明の第１の観点に係る照明システムは、
照明装置と、電子機器と、を有する照明ユニットと、
前記照明ユニットを赤外線によって遠隔操作する赤外線リモートコントローラと
を備え、
前記赤外線リモートコントローラは、前記電子機器の制御内容を指定する電子機器用コードを赤外線によって送信し、
前記照明装置は、前記赤外線リモートコントローラから送信された前記電子機器用コードを受信し、受信した前記電子機器用コードを前記電子機器に送信し、
前記電子機器は、前記照明装置から受信した前記電子機器用コードに基づいて制御をする、
ことを特徴とする。【００１０】
本発明の第２の観点に係る赤外線リモートコントローラは、
前記照明システムで用いられる。【００１１】
本発明の第３の観点に係る照明システムの動作方法は、
照明装置と、電子機器と、を有する照明ユニットと、前記照明ユニットを赤外線によって遠隔操作する赤外線リモートコントローラとを備える照明システムの動作方法であって、
前記赤外線リモートコントローラが、前記電子機器の制御内容を指定する電子機器用コードを赤外線によって送信するステップと、
前記照明装置が、前記赤外線リモートコントローラから送信された前記電子機器用コードを受信し、受信した前記電子機器用コードを前記電子機器に送信するステップと、
前記電子機器が、前記照明装置から受信した前記電子機器用コードに基づいて制御をするステップと、
を含むことを特徴とする。【００１２】
本発明の第４の観点に係る電子機器のマイクロコンピュータに実行させるプログラムを記録した記録媒体は、
電子機器のマイクロコンピュータに実行させるプログラムを記録した記録媒体であって、
前記電子機器は、照明装置と共に照明ユニットを構成し、
前記照明装置は、複数段階の明るさレベルのうちのいずれかで照明可能であり、
前記電子機器は、複数段階の音量レベルのうちのいずれかに調整可能なスピーカと、メモリを備え、
前記メモリには、前記複数段階の音量レベルと前記複数段階の明るさレベルとを対応付けた制御テーブルが格納され、
前記メモリの前記制御テーブルに従って、前記スピーカの音量レベルに対応した明るさレベルを指定する照明装置用コードを生成して前記照明装置に送信する処理を前記マイクロコンピュータに実行させるプログラムを記録することを特徴とする。
【発明の効果】
【００１３】
本発明によれば、照明装置を遠隔操作する赤外線リモートコントローラによって、照明装置とともに照明ユニットに含まれる電子機器も制御できる。
【図面の簡単な説明】
【００１４】
【図１】本発明の一実施の形態に係る照明システムを例示する概略ブロック図である。
【図２】本発明の一実施の形態に係る照明システムの音響装置がＩＲコードを用いて照明装置を制御する場合を例示するブロック図である。
【図３】図１の照明システムの詳細なブロック図である。
【図４】図１の照明システムにおける制御テーブルを例示する図である。
【図５】本発明の一実施の形態に係る照明システムのリモートコントローラによる音響装置の遠隔操作についてのシーケンス図である。
【図６】本発明の一実施の形態に係る照明システムの音響装置による照明装置の制御についてのシーケンス図である。
【図７】本発明の一実施の形態に係る照明システムの照明装置及び音響装置の主要部の回路図である。
【発明を実施するための形態】
【００１５】
以下、本発明の実施の形態を図面に関連づけて説明する。
【００１６】
１．照明システムの概要
図１は、本実施の形態に係る照明システム１を例示する概略ブロック図である。照明システム１は、照明装置２と、音響装置３と、赤外線リモートコントローラ（以下「リモートコントローラ」と呼ぶ）４とを備える。そして、照明装置２と音響装置３とによって、照明ユニット１０が構成される。照明ユニット１０は、照明装置２と音響装置３とを一体的に組み合わせて構成したものである。例えば、照明装置２と音響装置３とが同じ筐体内に収納されることにより、照明装置２と音響装置３とが一体的に組み合わされて照明ユニット１０として構成される。照明ユニット１０は、室内の天井に、引掛けシーリング等に引っ掛けられて設置される。つまり、照明装置２と音響装置３とは、共に室内の天井に設置される。本実施の形態では、照明ユニット１０の遠隔操作に焦点をあてて説明する。リモートコントローラ４は、照明ユニット１０を赤外線によって遠隔操作する。なお、照明ユニット１０は、照明装置２と電子機器とが接続され、両者が組み合わさったものであればよい。音響装置３は、電子機器の一例であり、他の電子機器であってもよい。
【００１７】
照明システム１は、２つの機能を持つ。１つ目の機能は、照明装置２による照明機能である。照明装置２は、壁面に備えられているスイッチ又は照明装置２に備わるスイッチによる操作に加え、リモートコントローラ４を用いた赤外線通信による遠隔操作が可能である。リモートコントローラ４は、照明装置２の遠隔操作にあたって、赤外線コードＡの赤外線を搬送波（例えば、明滅パルス）として照明装置２に送信する。以下、赤外線コードをＩＲコードと呼ぶ。ここで、ＩＲコードＡは、照明装置２を制御するための照明装置用コード（第２の照明装置用コード）であり、照明装置２の制御内容を指定する。このように、リモートコントローラ４は、赤外線を搬送波で送信する、赤外線通信を行う機器である。
【００１８】
照明システム１の２つ目の機能は、音響装置３による音響機能である。音響装置３は、ブルートゥース機器であり、ブルートゥースによる通信が可能である。
【００１９】
音響装置３は、２種類の遠隔操作が可能である。１種類目の遠隔操作は、照明システム１の外部機器（図示せず）を用いたブルートゥースによる遠隔操作である。外部機器としては、携帯電話機又はタブレット型コンピュータなどの携帯端末、デスクトップ型又はノート型のパーソナルコンピュータ、他の機器に使用されるリモートコントローラなどが挙げられる。なお、１種類目の遠隔操作で行われる通信は、ブルートゥースの他、赤外線通信以外の他の通信であってもよい。２種類目の遠隔操作は、リモートコントローラ４による赤外線通信を用いた遠隔操作である。本実施の形態では、２種類の遠隔操作のうち、リモートコントローラ４を用いた音響装置３の遠隔操作について説明する。
【００２０】
リモートコントローラ４は赤外線通信を行う機器なので、リモートコントローラ４を用いて音響装置３を遠隔操作するためには、音響装置３が赤外線通信に対応していなければならない。そのためには、赤外線受光素子（例えば、フォトダイオード）等を音響装置３に設ける必要がある。しかしながら、この方法は、音響装置３のハードウェアに大きな変更が必要である上、コストがかさむ。また、音響装置３が図３のように照明装置２と天井との間に配置される場合、照明装置２が邪魔をして、赤外線が音響装置３に届きにくい場合もある。
【００２１】
そこで、本実施の形態では、音響装置３を照明装置２と電気的に接続し、照明装置２がリモートコントローラ４からＩＲコードＢを受信し、照明装置２が受信したＩＲコードＢを電気信号に変換してコードＢとして音響装置３に送信するように、照明システム１が構成されている。そのため、音響装置３のハードウェアに大きな変更をしなくても、リモートコントローラ４を用いた音響装置３の遠隔操作が可能である。コストを抑制することもできる。無論、照明装置２のハードウェアの変更も最小限で済む。さらに、赤外線は照明装置２に届けばよいので、赤外線が音響装置３に届きにくい構成であっても、リモートコントローラ４を用いた音響装置３の遠隔操作が可能である。
【００２２】
リモートコントローラ４は、音響装置３の遠隔操作にあたって、ＩＲコードＢを、赤外線の搬送波として照明装置２に送信する。ＩＲコードＢは、音響装置３を制御するための音響装置用コード（電子機器用コード）であり、音響装置３の制御内容を指定する。照明装置２は、ＩＲコードＢを受信し、受信したＩＲコードＢを電気信号に変換してコードＢとして音響装置３に送信する。そして、音響装置３は、照明装置２からコードＢを受信し、受信したコードＢをデコードする。コードＢをデコードした結果は、音響装置３の制御内容を示す。音響装置３は、デコード結果に従って制御を実行する。
【００２３】
本実施の形態の照明システム１では、さらに、音響装置３がコードＣを用いて照明装置２を制御する機能を有する。図２は、音響装置３がコードＣを用いて照明装置２を制御する場合を例示するブロック図である。この場合、音響装置３は、コードＣを生成して照明装置２に送信する。コードＣは、ＩＲコードＡと同様に、照明装置２を制御するための照明装置用コード（第１の照明装置用コード）であり、照明装置の制御内容を指定する。コードＣが示す情報は、ＩＲコードＡが示す情報と同じ種類の制御情報である。つまり、照明装置２に送信されたコードＣとＩＲコードＡとの内容が同じであれば、これらを受信した照明装置２の動作も同じになる。このように、コードＣとＩＲコードＡとは、同じコードによって構成される。照明装置２は、音響装置３から送信されたコードＣを受信し、受信したコードＣをデコードする。コードＣをデコードした結果は、照明装置２の制御内容を示す。照明装置２は、デコード結果に従って制御を実行する。
【００２４】
音響装置３による照明装置２の制御は、以下の場合に好適である。例えば、再生楽曲の音量が大きい場合には、照明装置２の明るさがより明るくなるように、照明装置２を制御したい場合がある。音響装置３が、再生音の音量に基づいて生成したコードＣを照明装置２に送信すれば、再生音の音量に基づいて照明装置２の明るさを制御することができる。
【００２５】
２．照明システムの詳細
図３は、図１の照明システム１の詳細なブロック図である。照明システム１は、外部機器５（ここでは、携帯端末である。）をさらに備える。
【００２６】
先ず、照明装置２の構成について説明する。照明装置２は、照明部２１と、赤外線受信部（以下「ＩＲ受信部」）２２と、照明側制御部２３とを備える。
【００２７】
照明部２１は、蛍光灯またはＬＥＤ（Light Emitting Diode）等で構成されている。照明部２１は、例えば、５段階の明るさレベルＬ１−Ｌ５のいずれかで照明する。明るさの段階数は、任意である。明るさレベルＬ１は、最小レベルであって、最も暗い。明るさレベルＬ５は、最大レベルであって、最も明るい。明るさレベルが上がるにつれて、照明部２１が放つ光の強さが大きくなる。照明部２１は、照明側制御部２３の制御により、明るさレベルＬ１−Ｌ５のうちのいずれかの明るさレベルに調整される。
【００２８】
ＩＲ受信部２２は、赤外線受光素子である。赤外線受光素子には、例えば、フォトダイオードがある。ＩＲ受信部２２は、リモートコントローラ４からＩＲコードＡ（照明装置用）又はＩＲコードＢ（音響装置用）を赤外線信号として受信する。そして、ＩＲ受信部２２は、受信した赤外線信号のＩＲコードＡ又はＢを電気信号に変換した上で照明側制御部２３に出力する。本明細書では、ＩＲコードＡが電気信号に変換された後のコードをコードＡと呼び、ＩＲコードＢが電気信号に変換された後のコードをコードＢと呼ぶ。
【００２９】
照明側制御部２３は、以下の３つの動作を主とする。第１に、照明側制御部２３は、ＩＲ受信部２２がリモートコントローラ４からＩＲコードＡを受信した場合、受信したＩＲコードＡに従って照明部２１を制御する。その詳細は、以下の通りである。ＩＲコードＡは、明るさコードを含んでいる。明るさコードは、明るさレベルＬ１−Ｌ５のうちのいずれかを指定するコードである。ＩＲ受信部２２がＩＲコードＡを受信し、コードＡが送信された際、先ず、照明側制御部２３は、コードＡをデコードする。このデコードにより、明るさコードを得ることができる。照明側制御部２３は、デコード結果に従って、照明部２１の明るさレベルが、明るさコードが指定する明るさレベルになるように、照明部２１を制御する。
【００３０】
第２に、照明側制御部２３は、ＩＲ受信部２２がリモートコントローラ４からＩＲコードＡ又はＢを受信した場合、コードＡ又はＢをそのまま音響側制御部３１に出力する。なお、照明側制御部２３は、コードＡ又はＢを一度デコードし、デコード結果を音響側制御部３１に出力するようにしてもよいし、デコード結果をさらにエンコードして音響側制御部３１に出力するようにしてもよい。照明側制御部２３は、コードＡをデコードした場合には、このコードは音響側制御部３１で使用されないので、コードＡを音響制御部３１に供給しなくてもよい。
【００３１】
第３に、照明側制御部２３は、音響側制御部３１からコードＣを受信した場合、受信したコードＣに従って照明部２１を制御する。具体的には、音響側制御部３１からコードＣを受信した際、先ず、照明側制御部２３は、コードＣをデコードする。コードＣも、明るさコードを含んでいる。そして、照明側制御部２３は、デコード結果に従って、照明部２１の明るさレベルが、明るさコードが指定する明るさレベルになるように照明部２１を制御する。
【００３２】
続いて、音響装置３について説明する。音響装置３は、音響側制御部３１と、メモリ３２と、複数個のスピーカ３３と、ブルートゥース送受信部３４とを備える。メモリ３２は、例えば、フラッシュメモリである。メモリ３２は、制御テーブル３２１を格納している。ブルートゥース送受信部３４は、音響側制御部３１の制御に従って外部機器５と通信する。
【００３３】
音響装置３は、例えば、５．１チャネル方式で音声を再生する。図３では、複数個のスピーカ３３のうち、任意の１個を示している。複数個のスピーカ３３の各々は、音響装置３の筐体に好適に取り付けられている。なお、スピーカ３３の個数は、音響装置３の仕様に合わせて好適に決めることができる。複数個のスピーカ３３の各々は、音量レベルを調整する増幅器を備えている。音響側制御部３１がこの増幅器を制御することにより、複数個のスピーカ３３の各々の音量レベルが制御される。
【００３４】
スピーカ３３は、例えば、５段階の音量レベルで音量を調整可能である。音量レベルの段階数は、任意である。音量レベルＬ１は、スピーカ３３の最小音量レベルである。音量レベルＬ５は、スピーカ３３の最大音量レベルである。音量レベルが上がるにつれて、スピーカ３３の音量が大きくなる。
【００３５】
音響側制御部３１は、以下の２つの動作を主とする。第１に、音響側制御部３１は、照明側制御部２３からコードＢを受信した場合、音響装置３自体をコードＢに従って制御する。その詳細は、以下の通りである。ＩＲコードＢ（コードＢ）は、音量コードを含んでいる。音量コードは、音量レベルＬ１−Ｌ５のうちのいずれかを指定するコードである。音響側制御部３１がコードＢを受信した際、先ず、音響側制御部３１は、コードＢをデコードする。このデコードにより、音量コードを得ることができる。音響側制御部３１は、デコード結果に基づいて、スピーカ３３の音量レベルが、音量コードが指定する音量レベルとなるように、複数個のスピーカ３３の各々の出力を制御する。照明側制御部２３がコードＢのデコード結果を音響側制御部３１に出力する場合には、音響側制御部３１は、デコード結果を用いて制御を行ってもよい。
【００３６】
第２に、音響側制御部３１は、メモリ３２の制御テーブル３２１を参照し、制御テーブル３２１に従って照明装置２を制御する。その詳細は、以下の通りである。先ず、制御テーブル３２１について説明する。
【００３７】
図４は、制御テーブル３２１を例示する図である。制御テーブル３２１には、音量レベルと明るさレベルとが関連づけられ記憶されている。制御テーブル３２１では、５段階の音量レベルＬ１−Ｌ５が５段階の明るさレベルＬ１−Ｌ５にそれぞれ対応している。
【００３８】
音響側制御部３１は、制御テーブル３２１に従ってコードＣを生成する。コードＣは、ＩＲコードＡと同様に、照明装置２を制御するための照明装置用ＩＲコードである。音響側制御部３１は、明るさレベルがスピーカ３３の音量レベルに対応するように、制御テーブル３２１を参照してコードＣを生成する。例えば、スピーカ３３の現在の音量レベルがＬ３であると仮定する。制御テーブル３２１において音量レベルＬ３に対応する明るさレベルは、“Ｌ３”である。音響側制御部３１は、明るさレベルＬ３の明るさコードを含むコードＣを生成する。そして、音響側制御部３１は、生成したコードＣを照明側制御部２３に送信する。
【００３９】
次に、図３のリモートコントローラ４について説明する。リモートコントローラ４は、明るさボタン４１と、音量ボタン４２とを備える。明るさボタン４１は、照明装置２の明るさレベルを操作するためのボタンである。音量ボタン４２は、音響装置３の音量レベルを操作するために新たに設けられたボタンである。
【００４０】
明るさボタン４１が押下された場合、リモートコントローラ４は、以下のように動作する。先ず、リモートコントローラ４は、その押下に対応したＩＲコードＡを生成する。ＩＲコードＡは、明るさレベルＬ１−Ｌ５のうちのいずれかを示す明るさコードに加え、リーダコードやカスタムコード等も含んでいる。ＩＲコードＡは、複数のパルスで構成されている。リモートコントローラ４は、ＩＲコードＡを、赤外線の搬送波として送信する。
【００４１】
音量ボタン４２が押下された場合、リモートコントローラ４は、以下のように動作する。先ず、リモートコントローラ４は、その押下に対応したＩＲコードＢを生成する。ＩＲコードＢは、音量レベルＬ１−Ｌ５のうちのいずれかを示す音量コードに加え、リーダコードやカスタムコード等も含んでいる。ＩＲコードＢは、複数のパルスで構成されている。リモートコントローラ４は、ＩＲコードＢを、赤外線の搬送波として送信する。
【００４２】
外部機器５について説明する。外部機器５は、例えば、ブルートゥースによる通信が可能な多機能携帯電話機である。外部機器５は、音響装置３を制御するための制御データを音響装置３に送信する。制御データとは、例えば、ペアリングに必要なデータ、音響装置３の音量レベルを制御するためのデータ等である。
【００４３】
３．照明システム１の動作例
照明システム１の動作について、２つの場合を例示する。
【００４４】
（１）リモートコントローラ４による音響装置３の遠隔操作
図５は、リモートコントローラ４による音響装置３の遠隔操作についてのシーケンス図である。
【００４５】
先ず、リモートコントローラ４は、音響装置３の遠隔操作にあたって、ＩＲコードＢを、赤外線の搬送波として照明装置２に送信する（ステップＳ１）。そして、照明装置２のＩＲ受信部２２は、ＩＲコードＢを受信する（ステップＳ２）。続いて、ＩＲ受信部２２は、照明側制御部２３を介してコードＢを音響装置３の音響側制御部３１に送信する（ステップＳ３）。一方、音響側制御部３１は、照明側制御部２３を介してＩＲ受信部２２からコードＢを受信する（ステップＳ４）。続いて、音響側制御部３１は、コードＢをデコードする。音響側制御部３１は、デコード結果である音量コードに基づいて、スピーカ３３の音量レベルが音量コードで指定される音量レベルとなるように、複数個のスピーカ３３の各々の出力を制御する（ステップＳ５）。
【００４６】
（２）音響装置３による照明装置２の制御
図６は、音響装置３による照明装置２の制御についてのシーケンス図である。音響装置３による照明装置２の制御は、音響装置３により音を発している間、所定時間毎に行うものとしてもよいし、音響装置３の音量を変更した際に行うものとしてもよい。
【００４７】
先ず、音響側制御部３１は、制御テーブル３２１に従ってコードＣを生成する。そして、音響側制御部３１は、コードＣを照明側制御部２３に送信する（ステップＳ６）。照明側制御部２３は、音響側制御部３１からコードＣを受信する（ステップＳ７）。続いて、照明側制御部２３は、コードＣをデコードし、デコード結果である明るさコードに基づいて、照明部２１の明るさレベルが明るさコードで指定される明るさレベルになるように照明部２１を制御する（ステップＳ８）。
【００４８】
４．照明装置２及び音響装置３の主要部の詳細
最後に、照明装置２及び音響装置３の主要部を詳細に説明する。図７は、本実施の形態に係る照明装置２及び音響装置３の主要部の回路図である。
【００４９】
照明側制御部２３の構成について説明する。照明側制御部２３は、コネクタＣＯ１と、入力ノードＮＤ１と、ノードＮＤ２と、照明側マイクロコンピュータ２３１と、ＡＮＤゲート２３２と、インバータ２３３と、抵抗２３４と、プルアップ抵抗２３５とを備える。照明側マイクロコンピュータ２３１は、照明装置２の制御部の一例である。
【００５０】
照明側制御部２３は、コネクタＣＯ１とコネクタＣＯ２とを含む電気配線を介して電気的に音響側制御部３１に接続される。コネクタＣＯ１は、第１から第３端子を備える。後述のコネクタＣＯ２も、コネクタＣＯ１と同様に、第１から第３端子を備える。コネクタＣＯ２の第１端子（１）は、電子機器の入力端子の一例である。コネクタＣＯ２の第２端子（２）は、電子機器の出力端子の一例である。コネクタＣＯ１の第１端子から第３端子（３）は、コネクタＣＯ２の第１端子から第３端子（３）とそれぞれ電気的に接続されている。図７は、コネクタＣＯ１及びＣＯ２間の電気的な接続（電気配線）を破線で示している。
【００５１】
また、コネクタＣＯ１の第１端子から第３端子は、照明側制御部２３の内部で以下のように接続されている。第１端子は、抵抗２３４の一端に接続されている。第２端子（２）は、ノードＮＤ２に接続されている。第３端子は、グラウンド（ＧＮＤ）に接続されている。
【００５２】
ＩＲ受信部２２は、出力端子（３）と、２つの端子とを備える。出力端子は、ＩＲコードＡ及びＢのうち受信した方のコードを出力するための端子である。出力端子は、入力ノードＮＤ１に接続されている。２個の端子のうち第１端子（１）は、ＩＲ受信部２２のアノード側の端子であって、電源電圧（ＶＣＣ）が供給される。第２端子（２）は、ＩＲ受信部２２のカソード側の端子であって、グラウンド線（ＧＮＤ）に接続されている。
【００５３】
照明側マイクロコンピュータ２３１は、照明装置２を制御するマイクロコンピュータである。照明側マイクロコンピュータ２３１は、入力ポートＰＯ１ＩＮを備える。後述のように、入力ポートＰＯ１ＩＮには、コードＡ、Ｂ及びＣのいずれかが入力される。また、照明側マイクロコンピュータ２３１は、照明部２１に接続されている。
【００５４】
照明側制御部２３は、コードが伝達される３つの経路を備える。１つ目の経路は、第１入力経路である。第１入力経路は、入力ノードＮＤ１から照明側マイクロコンピュータ２３１の入力ポートＰＯ１ＩＮまでの経路である。第１入力経路は、アクティブ・ローである。
【００５５】
入力ノードＮＤ１は、ＩＲ受信部２２によって受信されたＩＲコードＡ又はＩＲコードＢの、変換後のコードＡ又はコードＢを照明側制御部２３に入力するためのノードである。第１入力経路には、ＡＮＤゲート２３２が設けられている。つまり、入力ノードＮＤ１は、ＡＮＤゲート２３２を介して入力ポートＰＯ１ＩＮに接続されている。コードＡ及びＢは、第１入力経路を経由して、照明側マイクロコンピュータ２３１に入力される。一般的な照明装置も、第１入力経路と同様の入力経路を備える。
【００５６】
２つ目の経路は、第２入力経路である。第２入力経路は、コネクタＣＯ１の第２端子から照明側マイクロコンピュータ２３１の入力ポートＰＯ１ＩＮまでの経路である。本実施の形態では、音響装置３が照明装置２を制御するためのコードＣを、音響側制御部３１から照明側制御部２３に送信する。そのため、第１入力経路に加え、第２入力経路が設けられている。第２入力経路には、ノードＮＤ２がある。ノードＮＤ２は、プルアップ抵抗２３５の一端に接続されている。プルアップ抵抗２３５の他端には、電源電圧（ＶＣＣ）が供給される。第２入力経路は、アクティブ・ローである。
【００５７】
コードＣは、第２入力経路を経由して、照明側マイクロコンピュータ２３１に入力される。照明側制御部２３は、コードＡ又はコードＢに加え、音響装置３から送信されるコードＣが照明側マイクロコンピュータ２３１に入力される構成を採っている。そのため、ＡＮＤゲート２３２が設けられている。
【００５８】
ＡＮＤゲート２３２は、２つの入力端子と、１つの出力端子とを備える。２つの入力端子のうち、第１入力端子（１）は、入力ノードＮＤ１に接続されている。第２入力端子（２）は、ノードＮＤ２に接続されている。出力端子は、入力ポートＰＯ１ＩＮに接続されている。ＩＲ受信部２２は、基本的にローアクティブである。そのため、ＡＮＤゲート２３２は、２つの入力端子のうちのいずれかに、コードに含まれる”Ｌ（ローレベル）”の電気信号（パルス）が供給された場合、”Ｌ”成分を入力ポートＰＯ１ＩＮに出力する。
【００５９】
３つ目の経路は、送信経路である。送信経路は、入力ノードＮＤ１からコネクタＣＯ１の第１端子までの経路である。送信経路には、インバータ２３３及び抵抗２３４が設けられている。送信経路は、アクティブ・ハイである。送信経路は、コードＡ又はコードＢを音響装置３に送信するためにある。一般的な照明装置は、この送信経路を備えていない。
【００６０】
インバータ２３３の入力端子は、入力ノードＮＤ１に接続されている。インバータ２３３の出力端子は、抵抗２３４の他端に接続されている。
【００６１】
音響側制御部３１の構成について説明する。音響側制御部３１は、音響側マイクロコンピュータ３１１と、第１フォトカプラ３１２と、プルアップ抵抗３１３と、第２フォトカプラ３１４と、抵抗３１５と、ノードＮＤ３とを備える。
【００６２】
音響側マイクロコンピュータ３１１は、音響装置３を制御するためのマイクロコンピュータである。音響側マイクロコンピュータ３１１は、入力ポートＰＯ２ＩＮと、出力ポートＰＯ２ＯＵＴとを備える。また、音響側マイクロコンピュータ３１１は、メモリ３２と、複数個のスピーカ３３の各々に接続されている。
【００６３】
コネクタＣＯ２の第１端子と音響側マイクロコンピュータ３１１の入力ポートＰＯ２ＩＮとの間の経路には、第１フォトカプラ３１２が設けられている。この経路は、互いに接続されたコネクタＣＯ１及びＣＯ２によって、照明側制御部２３の送信経路と繋がっている。
【００６４】
第１フォトカプラ３１２は、基本的に、照明側制御部２３と音響側制御部３１との絶縁を目的としている。第１フォトカプラ３１２は、２つの入力端子と、２つの出力端子を備える。２つの入力端子のうち第１入力端子（１）は、コネクタＣＯ２の第１端子（１）に接続されている。２つの入力端子のうち第２端子（２）は、コネクタＣＯ２の第３端子（３）を経由して照明側制御部２３のグラウンド線（ＧＮＤ）に接続されている。２つの出力端子のうち第１出力端子（３）は、グラウンド線（ＧＮＤ）に接続されている。２つの出力端子のうち第２出力端子（４）は、ノードＮＤ３を経由して音響側マイクロコンピュータ３１１の入力ポートＰＯ２ＩＮに接続されている。第１フォトカプラ３１２は、送信経路を伝達してくるコードＡ又はコードＢを入力する。そして、第１フォトカプラ３１２は、そのコードＡ又はコードＢに含まれる複数のパルスのレベルを反転させて出力する。
【００６５】
ノードＮＤ３は、プルアップ抵抗３１３の一端に接続されている。プルアップ抵抗３１３の他端には、電源電圧（ＶＣＣ）が供給される。第１フォトカプラ３１２の第２出力端子（４）と入力ポートＰＯ２ＩＮとの間の経路は、アクティブ・ローである。
【００６６】
コネクタＣＯ２の第２端子と音響側マイクロコンピュータ３１１の出力ポートＰＯ２ＯＵＴとの間の経路には、第２フォトカプラ３１４が設けられている。この経路は、互いに接続されたコネクタＣＯ１及びＣＯ２によって、照明側制御部２３の第２入力経路と繋がっている。
【００６７】
第２フォトカプラ３１４は、基本的に、照明側制御部２３と音響側制御部３１との絶縁を目的としている。第２フォトカプラ３１４は、２つの入力端子と、２つの出力端子を備える。２つの入力端子のうち第１入力端子（１）は、抵抗３１５を経由して音響側マイクロコンピュータ３１１の出力ポートＰＯ２ＯＵＴに接続されている。第２端子（２）は、グラウンド線（ＧＮＤ）に接続されている。２つの出力端子のうち第１出力端子（３）は、コネクタＣＯ２の第３端子を経由して照明側制御部２３のグラウンド線（ＧＮＤ）に接続されている。第２出力端子（４）は、コネクタＣＯ２の第２端子に接続されている。第２フォトカプラ３１４は、音響側マイクロコンピュータ３１１から送信されるコードＣを入力する。そして、第２フォトカプラ３１４は、受信したコードＣに含まれる複数のパルスのレベルを反転させて出力する。出力ポートＰＯ２ＯＵＴと第２フォトカプラ３１４の第１入力端子（１）との間の経路は、アクティブ・ハイである。
【００６８】
５．照明装置２及び音響装置３の主要部の動作
以下、図７に示す回路の動作を３つの場合に分けて説明する。
【００６９】
（１）ＩＲ受信部２２がＩＲコードＡを受信した場合
この場合、照明側制御部２３の入力ノードＮＤ１には、照明装置２を制御するためのコードＡが入力される。コードＡは、入力ノードＮＤ１から第１入力経路を経由して照明側マイクロコンピュータ２３１に入力される。これと共に、コードＡは、入力ノードＮＤ１から送信経路を経由して音響側マイクロコンピュータ３１１に入力される。
【００７０】
その詳細は、以下の通りである。先ず、第１入力経路に着目する。基本的に、ＡＮＤゲート２３２の第２入力端子には、プルアップ抵抗２３５によって”Ｈ”の電圧が入力されている。そのため、ＡＮＤゲート２３２は、その第２入力端子の入力に左右されず、”Ｌ”の電圧をその出力端子に出力する。したがって、コードＡの”Ｌ”成分は、入力ノードＮＤ１からＡＮＤゲート２３２を介して照明側マイクロコンピュータ２３１の入力ポートＰＯ１ＩＮに入力される。
【００７１】
照明側マイクロコンピュータ２３１は、コードＡをデコードする。コードＡは、明るさコードを含んでいる。従って、照明側マイクロコンピュータ２３１は、その明るさコードに基づいて、照明部２１の明るさレベルがデコード結果の明るさレベルになるように照明部２１を制御する。
【００７２】
続いて、送信経路に着目する。コードＡを構成する複数のパルスのレベルがインバータ２３３によって反転される。そして、その複数のパルスのレベルが音響側制御部３１の第１フォトカプラ３１２によって再び反転される。そのコードＡは、音響側マイクロコンピュータ３１１の入力ポートＰＯ２ＩＮに入力される。
【００７３】
音響側マイクロコンピュータ３１１は、入力されたコードＡをデコードする。コードＡは、音量コードを含んでいないので、デコード結果には音量コードが含まれていない。音響側マイクロコンピュータ３１１は、デコード結果が音量コードを含んでいないので、デコード結果を無視する。そのため、音響装置３の音量レベルは、現在の音量レベルに維持される。
【００７４】
（２）ＩＲ受信部２２がＩＲコードＢを受信した場合
この場合、照明側制御部２３の入力ノードＮＤ１には、音響装置３を制御するためのコードＢが入力される。コードＢも、コードＡの場合と同様に、第１入力経路を経由して照明側マイクロコンピュータ２３１に入力される。照明側マイクロコンピュータ２３１は、入力したコードＢをデコードする。コードＢは、明るさコードを含んでいないので、デコード結果には明るさコードが含まれていない。照明側マイクロコンピュータ２３１は、デコード結果が明るさコードを含んでいないので、デコード結果を無視する。そのため、照明装置２の明るさレベルは、現在の明るさレベルに維持される。
【００７５】
また、コードＢは、送信経路を経由して音響側マイクロコンピュータ３１１に入力される。音響側マイクロコンピュータ３１１は、コードＢをデコードする。コードＢは、音量コードを含んでいるので、デコード結果には音量コードが含まれている。従って、音響側マイクロコンピュータ３１１は、その音量コードに基づいて、スピーカ３３の音量レベルが、デコード結果が示す音量レベルになるように複数個のスピーカ３３の各々を制御する。
【００７６】
（３）音響装置３が照明装置２を制御する場合
この場合、音響側マイクロコンピュータ３１１は、照明装置２を制御するためのコードＣを生成する。そして、音響側マイクロコンピュータ３１１は、コードＣを出力ポートＰＯ２ＯＵＴに出力する。そして、コードＣを構成する複数のパルスのレベルが第２フォトカプラ３１４によって反転される。そのコードＣは、第２入力経路を経由して照明側マイクロコンピュータ２３１に入力される。照明側マイクロコンピュータ２３１は、コードＣをデコードする。コードＣは、明るさコードを含んでいるので、デコード結果には明るさコードが含まれている。従って、照明側マイクロコンピュータ２３１は、その明るさコードに基づいて、照明部２１の明るさレベルが、デコード結果が示す明るさレベルになるように照明部２１を制御する。
【００７７】
以上、本実施の形態の照明システム１によれば、照明装置２と音響装置３が電気的に接続されていることで、照明装置２と音響装置３は電気信号のコードを用いて相互に通信できる。そのため、リモートコントローラ４からの赤外線信号を照明装置２のみが受信可能であるとしても、照明装置２が音響装置３にコードを送信することで、リモートコントローラ４を用いて音響装置３を遠隔操作（制御）することができる。使用者は、照明装置２を遠隔操作するリモートコントローラ４と、音響装置３を遠隔操作する外部機器５とを使い分ける必要がない。
【００７８】
その上、ハードウェアの設計変更が最小限で済む。ＩＲ受信部２２は、照明装置２が本来備えているものである。たとえ、照明装置２がＩＲ受信部２２を備えていない場合であっても、照明装置２側にＩＲ受信部２２を備えるよう変更するだけで、音響装置３にはＩＲ受信部２２を備えずに、リモートコントローラ４を用いて、照明装置２と音響装置３の双方を遠隔操作することができるようになる。照明側マイクロコンピュータ２３１及び音響側マイクロコンピュータ３１１によるコードの処理は、ソフトウェアの変更で実現することができる。そのため、照明装置２の（筐体の）デザインにも、音響装置３の（筐体の）デザインにも左右されることがない。また、音響装置３における音量の大きさに応じて、照明装置２の照明の明るさを変更することができ、ユーザに面白みを与えることができる。
【００７９】
本発明は、その要旨を逸脱しない範囲内で好適に変更することができる。例えば、照明装置２が複数種類の色の光を発光できる場合、音響装置３が再生する楽曲や音量レベルに合わせて、照明装置２が発する光の色を変化させることができる。その場合は、音量レベルと光の種類を関連づけて制御テーブル３２１に記憶させる。また、音響側制御部３１は、音量レベルに応じて、光の種類を指定するコードＣを生成して照明側制御部２３に送信する。
【００８０】
音響装置３における音量の大きさと、照明装置２の照明の明るさとの対応関係は、上記に限られず、例えば、逆であってもよい。つまり、音響装置３は、音量レベルが小さい場合は明るさレベルを大きく設定したコードＣを生成して照明装置２に送信し、音量レベルが大きい場合は明るさレベルを小さく設定したコードＣを生成して照明装置２に送信するものとしても良い。
【００８１】
また、上記の実施例では、音響側制御部３１と照明側制御部２３とを電気的に接続し、コードのやり取りをしていたが、音響側制御部３１と照明側制御部２３とは赤外線などを用いた無線通信によってＩＲコードをやり取りするようにしてもよい。ＩＲ受信部２２が受信した、ＩＲコードＡ（照明装置用）及びＩＲコードＢ（音響装置用）は、照明側制御部２３を経由せずにそのまま音響側制御部３１に供給されてもよい。
【００８２】
なお、図７において、コードＡ（又はＢ）とコードＣとが、同時に照明側マイクロコンピュータ２３１に供給されることを想定し、ＡＮＤゲート２３２を設けず、コードＡ（又はＢ）とコードＣとのそれぞれが入力される入力ポートを照明側マイクロコンピュータ２３１に設けてもよい。このようにすることで、コードＡ（又はＢ）とコードＣとが同時に供給された場合でも対応できる。この場合、照明側マイクロコンピュータ２３１がどちらのコードを優先するかは、任意に設定される。
【００８３】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【００８４】
上記の実施形態の一部又は全部は、以下の付記のようにも記載されうるが、以下に限られない。
【００８５】
（付記１）
照明装置と、電子機器と、を有する照明ユニットと、
前記照明ユニットを赤外線によって遠隔操作する赤外線リモートコントローラと
を備え、
前記赤外線リモートコントローラは、前記電子機器の制御内容を指定する電子機器用コードを赤外線によって送信し、
前記照明装置は、前記赤外線リモートコントローラから送信された前記電子機器用コードを受信し、受信した前記電子機器用コードを前記電子機器に送信し、
前記電子機器は、前記照明装置から受信した前記電子機器用コードに基づいて制御をする、
ことを特徴とする照明システム。
【００８６】
（付記２）
前記照明装置と前記電子機器とは、電気配線により電気的に接続され、
前記照明装置は、前記赤外線リモートコントローラから赤外線で送信された前記電子機器用コードを受信して、電気信号に変換する赤外線受信部を備え、電気信号に変換した電子機器用コードを、前記電気配線を介して前記電子機器に送信し、
前記電子機器は、前記照明装置から、電気信号に変換された電子機器用コードを、前記電気配線を介して受信して、該電子機器用コードに基づいて制御をする、
ことを特徴とする付記１に記載の照明システム。
【００８７】
（付記３）
前記電子機器は、前記照明装置の制御内容を指定する第１の照明装置用コードを生成して前記照明装置に送信し、
前記照明装置は、前記電子機器から受信した前記第１の照明装置用コードに基づいて制御を実行し、
前記第１の照明装置用コードが示す情報は、前記照明装置を遠隔操作するために前記赤外線リモートコントローラから赤外線によって前記照明装置に送信される第２の照明装置用コードが示す情報と同じ種類の制御情報である、
ことを特徴とする付記１又は２に記載の照明システム。
【００８８】
（付記４）
前記電子機器は、前記照明装置の制御内容を指定する第１の照明装置用コードを生成して前記電気配線を介して前記照明装置に送信し、
前記照明装置は、前記赤外線受信部が電気信号に変換した電子機器用コードが入力される入力ノードと、入力ポートから入力される前記第１の照明装置用コードに応じて前記照明装置の制御を行う制御部と、を備え、
前記電子機器は、前記電子機器用コードの入力端子と、前記第１の照明装置用コードの出力端子と、を備え、
前記入力ノードは、前記電子機器の前記入力端子に接続され、
前記電子機器の前記出力端子は、前記制御部の前記入力ポートに接続されている、
ことを特徴とする付記２に記載の照明システム。
【００８９】
（付記５）
前記赤外線リモートコントローラは、前記照明装置の遠隔操作にあたって、前記照明装置の制御内容を指定する第２の照明装置用コードを赤外線によって前記照明装置に送信し、
前記赤外線受信部は、前記第２の照明装置用コードを受信して電気信号に変換し、
前記赤外線受信部が電気信号に変換した第２の照明装置用コードは、前記入力ノードに入力され、
前記入力ノードは、前記制御部の前記入力ポートに接続されており、前記入力ノードに入力された前記第２の照明装置用コードは、前記入力ポートに入力され、
前記制御部は、前記入力ポートから入力される前記第２の照明装置用コードに応じて前記照明装置の制御を行う、
ことを特徴とする付記４に記載の照明システム。
【００９０】
（付記６）
前記電子機器は、スピーカを備え、
前記電子機器用コードは、前記スピーカの音量を制御するためのコードであり、
前記電子機器は、前記電子機器用コードに基づいて、前記スピーカの音量を制御する、
ことを特徴とする付記１乃至５のいずれかに記載の照明システム。
【００９１】
（付記７）
前記照明装置は、複数段階の明るさレベルのうちのいずれかで照明可能であり、
前記電子機器は、スピーカを備え、前記スピーカの音量を複数段階の音量レベルのうちのいずれかに調整可能であり、前記複数段階の音量レベルと前記複数段階の明るさレベルとを対応付けた制御テーブルを格納したメモリを備え、前記メモリの前記制御テーブルに従って、前記スピーカの音量レベルに対応した明るさレベルを指定する第１の照明装置用コードを生成して前記照明装置に送信し、
前記照明装置は、前記電子機器から受信した前記第１の照明装置用コードに基づいて、前記照明装置の明るさを制御する、
ことを特徴とする付記１乃至６のいずれかに記載の照明システム。
【００９２】
（付記８）
付記１乃至７のいずれかに記載の照明システムで用いられる、赤外線リモートコントローラ。
【００９３】
（付記９）
照明装置と、電子機器と、を有する照明ユニットと、前記照明ユニットを赤外線によって遠隔操作する赤外線リモートコントローラとを備える照明システムの動作方法であって、
前記赤外線リモートコントローラが、前記電子機器の制御内容を指定する電子機器用コードを赤外線によって送信するステップと、
前記照明装置が、前記赤外線リモートコントローラから送信された前記電子機器用コードを受信し、受信した前記電子機器用コードを前記電子機器に送信するステップと、
前記電子機器が、前記照明装置から受信した前記電子機器用コードに基づいて制御をするステップと、
を含むことを特徴とする照明システムの動作方法。
【００９４】
（付記１０）
電子機器のマイクロコンピュータに実行させるプログラムを記録した記録媒体であって、
前記電子機器は、照明装置と共に照明ユニットを構成し、
前記照明装置は、複数段階の明るさレベルのうちのいずれかで照明可能であり、
前記電子機器は、複数段階の音量レベルのうちのいずれかに調整可能なスピーカと、メモリを備え、
前記メモリには、前記複数段階の音量レベルと前記複数段階の明るさレベルとを対応付けた制御テーブルが格納され、
前記メモリの前記制御テーブルに従って、前記スピーカの音量レベルに対応した明るさレベルを指定する照明装置用コードを生成して前記照明装置に送信する処理を前記マイクロコンピュータに実行させるプログラムを記録した記録媒体。
【００９５】
本発明は、２０１２年２月２９日に出願された日本国特許出願２０１２−０４４８５９号に基づく。本明細書中に日本国特許出願２０１２−０４４８５９号の明細書、特許請求の範囲、図面全体を参照として取り込むものとする。
【符号の説明】
【００９６】
１    ：照明システム
２    ：照明装置
３    ：音響装置
４    ：（赤外線）リモートコントローラ
５    ：外部機器
１０  ：照明ユニット
２１  ：照明部
２２  ：赤外線（ＩＲ）受信部
２３  ：照明側制御部
２３１：照明側マイクロコンピュータ
２３２：ＡＮＤゲート
２３３：インバータ
２３４：抵抗
２３５：プルアップ抵抗
３１  ：音響側制御部
３２  ：メモリ
３３  ：スピーカ
３４  ：ブルートゥース送受信部
３１１：音響側マイクロコンピュータ
３１２：第１フォトカプラ
３１３：プルアップ抵抗
３１４：第２フォトカプラ
３１５：抵抗
３２１：制御テーブル
４１  ：明るさボタン
４２  ：音量ボタン
ＣＯ１：コネクタ
ＣＯ２：コネクタ
ＮＤ１：入力ノード
ＮＤ２：ノード
ＮＤ３：ノード
【図１】
2013129575.tif 000003
【図２】
2013129575.tif 000004
【図３】
2013129575.tif 000005
【図４】
2013129575.tif 000006
【図５】
2013129575.tif 000007
【図６】
2013129575.tif 000008
【図７】
2013129575.tif 000009
【手続補正書】
【提出日】平成26年8月15日(2014.8.15)
【手続補正２】
【補正対象書類名】明細書
【補正対象項目名】０００１
【補正方法】変更
【補正の内容】
【０００１】
本発明は、照明システム、赤外線リモートコントローラ、照明システムの動作方法、及び、電子機器のマイクロコンピュータに実行させるプログラムに関する。
【手続補正３】
【補正対象書類名】明細書
【補正対象項目名】００１２
【補正方法】変更
【補正の内容】
【００１２】
本発明の第４の観点に係る電子機器のマイクロコンピュータに実行させるプログラムは、
電子機器のマイクロコンピュータに実行させるプログラムであって、
前記電子機器は、照明装置と共に照明ユニットを構成し、
前記照明装置は、複数段階の明るさレベルのうちのいずれかで照明可能であり、
前記電子機器は、複数段階の音量レベルのうちのいずれかに調整可能なスピーカと、メモリを備え、
前記メモリには、前記複数段階の音量レベルと前記複数段階の明るさレベルとを対応付けた制御テーブルが格納され、
前記メモリの前記制御テーブルに従って、前記スピーカの音量レベルに対応した明るさレベルを指定する照明装置用コードを生成して前記照明装置に送信する処理を前記マイクロコンピュータに実行させることを特徴とする。
【手続補正４】
【補正対象書類名】特許請求の範囲
【補正対象項目名】請求項１０
【補正方法】変更
【補正の内容】
【請求項１０】
電子機器のマイクロコンピュータに実行させるプログラムであって、
前記電子機器は、照明装置と共に照明ユニットを構成し、
前記照明装置は、複数段階の明るさレベルのうちのいずれかで照明可能であり、
前記電子機器は、複数段階の音量レベルのうちのいずれかに調整可能なスピーカと、メモリを備え、
前記メモリには、前記複数段階の音量レベルと前記複数段階の明るさレベルとを対応付けた制御テーブルが格納され、
前記メモリの前記制御テーブルに従って、前記スピーカの音量レベルに対応した明るさレベルを指定する照明装置用コードを生成して前記照明装置に送信する処理を前記マイクロコンピュータに実行させるプログラム。
【国際調査報告】
2013129575.tif 000010
2013129575.tif 000011